(57)【要約】【課題】ユーザ関連情報を電話番号や検索条件、位置、時刻に応じて表示させる。【解決手段】  ユーザ関連情報供覧システム１において、ユーザ関連情報をリファレンスサーバ２００のユーザ関連情報データベース２５０で一元管理するとともに、ユーザ識別子のリストを記憶させたユーザ端末１０から、当該ユーザ関連情報群をユーザ識別子、又は特定の語句や位置情報等のユーザ関連情報に関する検索条件によって検索可能とすることで、リアルタイム性を含み、対話性があり、又は属人的な要素をも含みうるユーザ関連情報を表示し、又は供覧に付する。【選択図】図１
2014186647.tif 000002
【特許請求の範囲】
【請求項１】
ユーザリストが記憶された記憶部を有し、ユーザ関連情報データベースを備えるリファレンスサーバと通信可能に接続されたユーザ端末であって、
前記ユーザリストから、一以上のユーザの識別子を取得する識別子取得手段と、
前記取得した識別子、又は、ユーザ関連情報に関する検索条件に基づいて、当該識別子と関連付けて記憶されている、又は、前記検索条件を満たすユーザ関連情報を前記リファレンスサーバから取得するユーザ関連情報取得手段と、
前記取得したユーザ関連情報を、前記表示部に出力するユーザ関連情報表示手段と、
を備えるユーザ端末。
【請求項２】
前記取得したユーザ関連情報と関連付けられた識別子が、前記ユーザリストに記憶されていない場合には、前記ユーザリストに当該識別子を記憶させる識別子記憶手段と、
を備える請求項１に記載のユーザ端末。
【請求項３】
前記ユーザリストとは、前記ユーザ端末に予め備えられたアドレス帳であって、前記識別子とは、前記ユーザと関連付けて記憶された名称、電話番号、又は電子メールアドレスのいずれかである、請求項１又は２のいずれか一項に記載のユーザ端末。
【請求項４】
前記に加え、位置情報取得手段を備える請求項１乃至３のいずれか一項に記載のユーザ端末であって、
前記ユーザ関連情報ごとに予め設定されている、前記ユーザ端末の位置又は現在時刻の少なくともいずれかによる表示条件を取得する表示条件取得手段と、
前記ユーザ端末の位置、及び現在時刻が、前記表示条件を満たしているかを判断する表示条件判断手段と、を備え、
ユーザ関連情報表示手段は、前記表示条件を満たしているときのみ、前記表示部にユーザ関連情報を出力するユーザ端末。
【請求項５】
ユーザリストが記憶された記憶部を有するユーザ端末と、ユーザ関連情報データベースを備えるリファレンスサーバとが通信可能に接続されたユーザ関連情報供覧システムであって、
前記ユーザ端末は、
前記ユーザリストから、一以上のユーザの識別子を取得する識別子取得手段と、
前記取得した識別子、又は、ユーザ関連情報に関する検索条件に基づいて、当該識別子と関連付けて記憶されている、又は、前記検索条件を満たすユーザ関連情報を前記リファレンスサーバから取得するユーザ関連情報取得手段と、
前記取得したユーザ関連情報を、前記表示部に出力するユーザ関連情報表示手段と、を備え、
前記リファレンスサーバは、
前記ユーザ端末から、ユーザ関連情報の抽出パラメータを取得する抽出パラメータ取得手段と、
前記した抽出パラメータに基づいて、ユーザ関連情報データベースからユーザ関連情報を抽出するユーザ関連情報抽出手段と、
前記抽出したユーザ関連情報を、前記ユーザ端末に送信するユーザ関連情報送信手段と、
を備えるユーザ関連情報供覧システム。
【請求項６】
ユーザリストが記憶された記憶部を有し、ユーザ関連情報データベースを備えるリファレンスサーバと通信可能に接続されたユーザ端末が実行するユーザ関連情報表示方法であって、
前記ユーザリストから、一以上のユーザの識別子を取得するステップと、
前記取得した識別子、又は、ユーザ関連情報に関する検索条件に基づいて、当該識別子と関連付けて記憶されている、又は、前記検索条件を満たすユーザ関連情報を前記リファレンスサーバから取得するステップと、
前記取得したユーザ関連情報を、前記表示部に出力するステップと、
を備えるユーザ関連情報表示方法。
【請求項７】
ユーザリストが記憶された記憶部を有し、ユーザ関連情報データベースを備えるリファレンスサーバと通信可能に接続されたユーザ端末に、
前記ユーザリストから、一以上のユーザの識別子を取得するステップと、
前記取得した識別子、又は、ユーザ関連情報に関する検索条件に基づいて、当該識別子と関連付けて記憶されている、又は、前記検索条件を満たすユーザ関連情報を前記リファレンスサーバから取得するステップと、
前記取得したユーザ関連情報を、前記表示部に出力するステップと、
を実行させるユーザ端末用プログラム。
【発明の詳細な説明】
【技術分野】
【０００１】
本発明は、ユーザ関連情報を表示し、又は供覧に付すユーザ端末、ユーザ関連情報供覧システム、ユーザ関連情報表示方法、及びユーザ端末用プログラムに関する。
【背景技術】
【０００２】
近年、公衆回線網に接続された通話端末をＷｅｂサーバ等と接続することで、ユーザに様々なサービスが提供されている。特に、通話機能を有する高機能携帯端末はスマートフォン端末と呼ばれ、従来の携帯電話に代わり、多くの人々が使うに至っている。
【０００３】
ここで、スマートフォン上で連絡先や店舗情報といった、ユーザに紐づく情報を記録、管理することは、自らを広告する上で効果的であるといえる。しかしながら、時々刻々と変化するユーザ情報を、最新の状態に更新するとともに共有を保つことには、多大な労力が必要とされていた。
【０００４】
このような課題に対して、ユーザ自らの通信端末にプロフィール情報が登録されていない他のユーザの通信端末に対しても、ユーザ自らの更新後のプロフィール情報を送信する手法が開示されている。
【先行技術文献】
【特許文献】
【０００５】
【特許文献１】特開２０１３−１２１６４号公報
【発明の概要】
【発明が解決しようとする課題】
【０００６】
特許文献１では、更新された自己プロフィール情報に対応付けて自己情報管理テーブルに記述された端末識別情報及び更新規則を特定する。その更新記録が片側更新である場合には、更新者の更新前のプロフィール情報を他者プロフィール情報としてアドレス帳に登録しているユーザの通信端末を、更新された自己プロフィール情報の送信先として、特定したユーザの通信端末に対して更新情報を送信する手法が開示されている。
【０００７】
しかしながら、特許文献１に開示されている方法では、プロフィールの更新者の通信端末には、最新のプロフィールを共有する他の通信端末が記録されている必要がある。特に、自分が最新のプロフィールを必要な相手ではなく、自分の最新のプロフィールを必要とする相手のリストとなっている点で、リストの管理に困難がある。加えて、最新のプロフィールが一括管理されていないために、更新に必要な通信が当該通信端末を基点とすることから、更新相手リストの長さに応じて、更新に要する通信量が積算し膨大になっていくおそれがある。
【０００８】
以上の課題を鑑み、本発明は、ユーザ関連情報をリファレンスサーバで一元管理するとともに、ユーザ識別子のリストを記憶させたユーザ端末から、当該ユーザ関連情報群をユーザ識別子又はユーザ関連情報に関する検索条件によって検索可能とすることで、ユーザ関連情報を表示し、又は供覧に付する、ユーザ端末、ユーザ関連情報供覧システム、ユーザ関連情報表示方法、及びユーザ端末用プログラムを提供することを目的とする。
【課題を解決するための手段】
【０００９】
本発明では、以下のような解決手段を提供する。
【００１０】
第１の特徴に係る発明は、ユーザリストが記憶された記憶部を有し、ユーザ関連情報データベースを備えるリファレンスサーバと通信可能に接続されたユーザ端末であって、
前記ユーザリストから、一以上のユーザの識別子を取得する識別子取得手段と、
前記取得した識別子、又は、ユーザ関連情報に関する検索条件に基づいて、当該識別子と関連付けて記憶されている、又は、前記検索条件を満たすユーザ関連情報を前記リファレンスサーバから取得するユーザ関連情報取得手段と、
前記取得したユーザ関連情報を、前記表示部に出力するユーザ関連情報表示手段と、
を備えるユーザ端末を提供する。
【００１１】
第１の特徴に係る発明によれば、ユーザリストが記憶された記憶部を有し、ユーザ関連情報データベースを備えるリファレンスサーバと通信可能に接続されたユーザ端末は、前記ユーザリストから、一以上のユーザの識別子を取得し、取得した識別子、又は、ユーザ関連情報に関する検索条件に基づいて、当該識別子と関連付けて記憶されている、又は、前記検索条件を満たすユーザ関連情報を前記リファレンスサーバから取得し、取得したユーザ関連情報を、前記表示部に出力する。
【００１２】
第１の特徴に係る発明は、ユーザ端末のカテゴリであるが、ユーザ関連情報表示方法、及び、ユーザ端末用プログラムのカテゴリにおいても、そのカテゴリに応じた同一の作用・効果を奏する。
【００１３】
第２の特徴に係る発明は、前記取得したユーザ関連情報と関連付けられた識別子が、前記ユーザリストに記憶されていない場合には、前記ユーザリストに当該識別子を記憶させる識別子記憶手段と、
を備える第１の特徴に係る発明であるユーザ端末を提供する。
【００１４】
第２の特徴に係る発明によれば、第１の特徴に係る発明であるユーザ端末は、前記取得したユーザ関連情報と関連付けられた識別子が、前記ユーザリストに記憶されていない場合には、前記ユーザリストに当該識別子を記憶させる。
【００１５】
第３の特徴に係る発明は、前記ユーザリストとは、前記ユーザ端末に予め備えられたアドレス帳であって、前記識別子とは、前記ユーザと関連付けて記憶された名称、電話番号、又は電子メールアドレスのいずれかである、第１又は第２のいずれかの特徴に係る発明であるユーザ端末を提供する。
【００１６】
第３の特徴に係る発明によれば、第１又は第２のいずれかの特徴に係る発明であるユーザ端末において、前記ユーザリストとは、前記ユーザ端末に予め備えられたアドレス帳であって、前記識別子とは、前記ユーザと関連付けて記憶された名称、電話番号、又は電子メールアドレスのいずれかである。
【００１７】
第４の特徴に係る発明は、前記に加え、位置情報取得手段を備える第１から第３のいずれかの特徴に係る発明であるユーザ端末であって、
前記ユーザ関連情報ごとに予め設定されている、前記ユーザ端末の位置又は現在時刻の少なくともいずれかによる表示条件を取得する表示条件取得手段と、
前記ユーザ端末の位置、及び現在時刻が、前記表示条件を満たしているかを判断する表示条件判断手段と、を備え、
ユーザ関連情報表示手段は、前記表示条件を満たしているときのみ、前記表示部にユーザ関連情報を出力するユーザ端末を提供する。
【００１８】
第４の特徴に係る発明によれば、位置情報取得手段を備える第１から第３のいずれかの特徴に係る発明であるユーザ端末は、前記ユーザ関連情報ごとに予め設定されている、前記ユーザ端末の位置又は現在時刻の少なくともいずれかによる表示条件を取得し、前記ユーザ端末の位置、及び現在時刻が、前記表示条件を満たしているかを判断し、前記表示条件を満たしているときのみ、前記表示部にユーザ関連情報を出力する。
【００１９】
第５の特徴に係る発明は、ユーザリストが記憶された記憶部を有するユーザ端末と、ユーザ関連情報データベースを備えるリファレンスサーバとが通信可能に接続されたユーザ関連情報供覧システムであって、
前記ユーザ端末は、
前記ユーザリストから、一以上のユーザの識別子を取得する識別子取得手段と、
前記取得した識別子、又は、ユーザ関連情報に関する検索条件に基づいて、当該識別子と関連付けて記憶されている、又は、前記検索条件を満たすユーザ関連情報を前記リファレンスサーバから取得するユーザ関連情報取得手段と、
前記取得したユーザ関連情報を、前記表示部に出力するユーザ関連情報表示手段と、を備え、
前記リファレンスサーバは、
前記ユーザ端末から、ユーザ関連情報の抽出パラメータを取得する抽出パラメータ取得手段と、
前記取得した抽出パラメータに基づいて、ユーザ関連情報データベースからユーザ関連情報を抽出するユーザ関連情報抽出手段と、
前記抽出したユーザ関連情報を、前記ユーザ端末に送信するユーザ関連情報送信手段と、
を備えるユーザ関連情報供覧システムを提供する。
【００２０】
第５の特徴に係る発明によれば、ユーザリストが記憶された記憶部を有するユーザ端末と、ユーザ関連情報データベースを備えるリファレンスサーバとが通信可能に接続されたユーザ関連情報供覧システムにおいて、
前記ユーザ端末は、前記ユーザリストから、一以上のユーザの識別子を取得し、取得した識別子、又は、ユーザ関連情報に関する検索条件に基づいて、当該識別子と関連付けて記憶されている、又は、前記検索条件を満たすユーザ関連情報を前記リファレンスサーバから取得し、取得したユーザ関連情報を、前記表示部に出力する。又、前記リファレンスサーバは、前記ユーザ端末から、ユーザ関連情報の抽出パラメータを取得し、取得した抽出パラメータに基づいて、ユーザ関連情報データベースからユーザ関連情報を抽出し、前記抽出したユーザ関連情報を、前記ユーザ端末に送信する。
【００２１】
第６の特徴に係る発明は、ユーザリストが記憶された記憶部を有し、ユーザ関連情報データベースを備えるリファレンスサーバと通信可能に接続されたユーザ端末が実行するユーザ関連情報表示方法であって、
前記ユーザリストから、一以上のユーザの識別子を取得するステップと、
前記取得した識別子、又は、ユーザ関連情報に関する検索条件に基づいて、当該識別子と関連付けて記憶されている、又は、前記検索条件を満たすユーザ関連情報を前記リファレンスサーバから取得するステップと、
前記取得したユーザ関連情報を、前記表示部に出力するステップと、
を備えるユーザ関連情報表示方法を提供する。
【００２２】
第７の特徴に係る発明は、ユーザリストが記憶された記憶部を有し、ユーザ関連情報データベースを備えるリファレンスサーバと通信可能に接続されたユーザ端末に、
前記ユーザリストから、一以上のユーザの識別子を取得するステップと、
前記取得した識別子、又は、ユーザ関連情報に関する検索条件に基づいて、当該識別子と関連付けて記憶されている、又は、前記検索条件を満たすユーザ関連情報を前記リファレンスサーバから取得するステップと、
前記取得したユーザ関連情報を、前記表示部に出力するステップと、
を実行させるユーザ端末用プログラムを提供する。
【発明の効果】
【００２３】
本発明によれば、ユーザ関連情報をリファレンスサーバで一元管理するとともに、ユーザの識別子のリストを記憶させたユーザ端末から、当該ユーザ関連情報群をユーザ識別子又はユーザ関連情報に関する検索条件によって検索可能とすることで、ユーザ関連情報を表示し、又は供覧に付する、ユーザ端末、ユーザ関連情報供覧システム、ユーザ関連情報表示方法、及びユーザ端末用プログラムを提供することが可能となる。
【図面の簡単な説明】
【００２４】
【図１】図１は、ユーザ関連情報供覧システム１の概要を説明するための図である。
【図２】図２は、ユーザ関連情報供覧システム１の全体構成図である。
【図３】図３は、ユーザ端末１０、リファレンスサーバ２００の機能ブロック図である。
【図４】図４は、ユーザ端末１０、リファレンスサーバ２００が実行するユーザ関連情報の表示処理の手順を示すフローチャート図である。
【図５】図５は、ユーザ端末１０に表示される検索条件入力画面の一例である。
【図６】図６は、ユーザ端末１０の画面に表示されたユーザ関連情報の一例である。
【図７】図７は、リファレンスサーバ２００が備える、ユーザ関連情報データベース２５０内のユーザ関連情報テーブルの一例である。
【発明を実施するための形態】
【００２５】
以下、本発明を実施するための最良の形態について図を参照しながら説明する。なお、これはあくまでも一例であって、本発明の技術的範囲はこれに限られるものではない。
【００２６】
［ユーザ関連情報供覧システム１の概要］
図１は、本発明の好適な実施形態であるユーザ関連情報供覧システム１の概要を説明するための図である。この図１に基づいて、ユーザ関連情報供覧システム１の概要を説明する。
【００２７】
ユーザ端末１０は、アドレス帳等のユーザリストを記憶部に備える。ユーザ端末１０は、アドレス帳を開いたタイミングや、ユーザから検索指示があった場合に、リファレンスサーバ２００にユーザ関連情報のリクエストを送信する（ステップＳ０１）。
【００２８】
このリクエストには検索のためのパラメータが含まれ、そのパラメータに合致したユーザ関連情報がリファレンスサーバ２００から送信される。パラメータは、電話番号やユーザ氏名を初めとする識別子のほか、「焼肉」や「１００円ショップ」といった語句であってよく、「東京都港区」といった位置情報であってもよい。
【００２９】
リクエストを受信したリファレンスサーバ２００は、パラメータを取得し、検索条件に合致したユーザ関連情報を、記憶部に記憶されたユーザ関連情報データベース２５０から抽出する（ステップＳ０２）。パラメータが識別子である時には当該識別子によってユーザを抽出するほか、「レストラン」であった時は、ユーザ関連情報に「レストラン」という語句が含まれるユーザ関連情報を抽出する。ここで、ユーザとは必ずしも人に限られず、識別子を備えていれば、法人、建物、ウェブサイト、テーマパーク等の情報提供者であってよい。
【００３０】
リファレンスサーバ２００は抽出したユーザ関連情報をユーザ端末１０に送信する（ステップＳ０３）。図１に示す例では、識別子である電話番号が「０９０−ＡＡＡＡ−ＡＡＡＡ」と「０３−ＣＣＣＣ−ＣＣＣＣ」をパラメータとするリクエストを送信した場合の結果を示している。
【００３１】
ユーザ端末１０は、受信したユーザ関連情報を画面上に出力する（ステップＳ０４）。図１では画面からずれて描かれているが、重なりを示すために過ぎない。また、ユーザ関連情報には表示条件が設定可能で、あって、例えば「港南レストラン」は時刻と場所を表示条件として設定し、それを満たした場合のみ画面にユーザ関連情報が表示される（ステップＳ０５）。ここで、表示条件の判断は、パラメータに情報を含む事で抽出時に参酌してもよいし、受信後にユーザ端末が判断を行ってもよい。
【００３２】
ユーザ関連情報については、図１に示すように予約のためのボタンを画面上に表示し、押し下げることでウェブブラウザが連携して開いたり、直接予約システムと通信を行うことで、予約手続きを開始したりしてよい。また、ユーザ関連情報は基本的にはユーザ自身が更新するが、「お得なキャンペーン」として示されるように、特定のウェブサーバやインターネット上のコンテンツを収集し、ユーザ関連情報の一部が自動的に更新されてよい。
【００３３】
更に、ユーザ関連情報としては、メールアドレスや店舗情報である営業時間、定休日に加え、地図、クーポン等であってよいし、ユーザ端末１０の持ち主である個人を識別することで表示可能な内容、例えば当該ユーザとの直近のメッセージのやり取りなどが自動的に登録されてよい。
また、ユーザ関連情報の一部のみに時刻に関する表示条件を設定することで、例えばタイムセールの時間のみに特定の情報を表示できてよい。以上が、ユーザ関連情報供覧システム１の概要である。
【００３４】
［ユーザ関連情報供覧システム１のシステム構成］
図２は、本発明の好適な実施形態であるユーザ関連情報供覧システム１のシステム構成図である。ユーザ関連情報供覧システム１は、ユーザ端末１０、他の端末５０、リファレンスサーバ２００、ユーザ関連情報データベース２５０、公衆回線網３（インターネット網や第３世代、第４世代通信網など）から構成される。
【００３５】
ユーザ端末１０は、公衆回線網３を介してリファレンスサーバ２００と通信可能に接続されている。ユーザ関連情報データベース２５０は、リファレンスサーバ２００の記憶部に記憶されている。ユーザ端末１０が公衆回線網３と接続するために、ルータ等のネットワーク機器を介して通信可能であってよい。
【００３６】
ユーザ端末１０は、ユーザがウェブページを閲覧し、手続きを行う、通話機能を備えた一般的な情報端末であってよく、後述する機能を備える情報機器や電化製品である。ユーザ端末１０は、例えば、携帯電話、スマートフォン、複合型プリンタ、テレビ、ルータ又はゲートウェイ等のネットワーク機器、コンピュータに加えて、冷蔵庫、洗濯機等の白物家電、電話機、ネットブック端末、スレート端末、電子書籍端末、電子辞書端末、携帯型音楽プレーヤ、携帯型コンテンツ再生・録画プレーヤ等の一般的な情報家電であってよい。
【００３７】
他の端末５０は、ユーザ端末１０によってユーザ関連情報を取得される端末の例示である。ここで、他の端末５０は必ずしもリファレンスサーバ２００と通信可能に接続されている必要はない。例えば、他の端末５０が固定電話であって、公衆回線網３に接続されていない場合であっても、他の端末５０の持ち主がユーザ関連情報データベース２５０において、識別子と他の端末５０を一対一に対応させることができればよく、リファレンスサーバ２００にユーザ関連情報を登録するにあたり、他の端末５０でない端末を用いてよい。
【００３８】
リファレンスサーバ２００は、ユーザ関連情報データベース２５０を備え、ユーザ端末１０からの問い合わせに応じてユーザ関連情報を送信するサーバである。
【００３９】
［各機能の説明］
図３は、ユーザ端末１０、リファレンスサーバ２００の機能ブロックと各機能の関係を示す図である。
【００４０】
ユーザ端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える（有線によるＬＡＮ接続であってもよい）。
【００４１】
また、ユーザ端末１０は、記憶部１３として、ハードディスクや半導体メモリによる、データのストレージ部を備える。さらに、ユーザ端末１０は、入出力部１４として、制御部で制御したデータや画像を出力表示する表示部を備え、かつ、ユーザやサポート者からの入力を受付けるタッチパネルやキーボード、マウス等を備える。また、ユーザ端末１０は、端末の現在位置の位置情報を取得する位置情報取得手段を、入出力部１４の一部として備える。ここで、ユーザ端末１０は、記憶部１３にユーザリスト２５を備える。
【００４２】
ユーザ端末１０において、制御部１１が所定のプログラムを読み込むことで、通信部１２と協働して、ユーザ関連情報取得モジュール１５、表示条件取得モジュール１６を実現する。また、ユーザ端末１０において、制御部１１が所定のプログラムを読み込むことで、記憶部１３と協働して、識別子取得モジュール１７、識別子記憶モジュール１８を実現する。また、ユーザ端末１０において、制御部１１が所定のプログラムを読み込むことで、入出力部１４と協働して、ユーザ関連情報表示モジュール１９、表示条件判断モジュール２０を実現する。
【００４３】
リファレンスサーバ２００は、同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイスを備える（有線であってもよい）。加えて、リファレンスサーバ２００は、記憶部２０３として、ハードディスクや半導体メモリによる、データのストレージ部を備える。リファレンスサーバ２００は、ユーザ関連情報データベース２５０を、記憶部２０３に備える。
【００４４】
リファレンスサーバ２００において、制御部２０１が所定のプログラムを読み込むことで、通信部２０２と協働して、ユーザ関連情報送信モジュール２０４、抽出パラメータ取得モジュール２０５を実現する。また、リファレンスサーバ２００において、制御部２０１が所定のプログラムを読み込むことで、記憶部２０３と協働して、ユーザ関連情報抽出モジュール２０６を実現する。
【００４５】
［ユーザ関連情報の表示処理］
図４は、ユーザ端末１０、リファレンスサーバ２００が実行するユーザ関連情報の表示処理のフローチャートである。上述した各装置のモジュールが行う処理について、本処理にて併せて説明する。
【００４６】
はじめに、ユーザ端末１０のユーザ関連情報取得モジュール１５は、予め設定された一定の更新間隔や、ユーザリストを開いた時、又は、ユーザからの入力があったタイミングで、ユーザ関連情報の取得を行う。その際に、ユーザ関連情報の検索において、識別子以外の検索パラメータを用いるかを判断する（ステップＳ１１）。ここでユーザリストとは、識別子を含むユーザ情報の集合であって、具体的にはアドレス帳が挙げられるが、それに限られない。また、識別子はユーザ端末を一意に特定できる情報であって電話番号、ユーザの名称、メールアドレス等であってよい。以下は、ユーザリストがアドレス帳であって、識別子が電話番号であるものとして説明を行う。
【００４７】
例えば、ユーザが検索単語の入力画面を開く等、識別子以外の検索パラメータを用いる場合（ステップＳ１１：「ＹＥＳ」の場合）、ユーザ関連情報取得モジュール１５は検索パラメータの入力を受け付ける（ステップＳ１２）。ここで、検索条件は識別子以外の条件と、識別子を用いた条件が複合的であってよいし、ＡＮＤ、ＯＲ、ＮＯＴ条件等を用いることで、任意結果を得るための複雑な検索条件が設定可能であってよい。
【００４８】
一方で、アドレス帳を開いたり、アドレス帳のユーザをクリックしたりした際といった、識別子のみによって検索を行う時（ステップＳ１１：「ＮＯ」の場合）には、識別子取得モジュール１７がユーザリストから識別子を取得し、それをパラメータとする（ステップＳ１３）。ここで、パラメータの識別子は一つに限られず、複数であってよい。
【００４９】
図５は、ユーザ端末１０に表示される検索条件入力画面の一例である。識別子入力フォーム５１、検索語入力フォーム５３、位置情報入力フォーム５４に加え、アドレス帳からの電話番号引用ボタン５２や、現在位置取得ボタン５５等を備える。なお、ここでの位置情報の入力は検索に資するものであって、必ずしも後述の表示条件の判断に使われるものではない。
【００５０】
ユーザは、検索ボタン５７を押し下げることで、検索を開始することが出来る。また、チェックボックス５６にチェックを入れることで、取得した検索結果がユーザリストたるアドレス帳に未登録である時には、自動的に登録を行うこともできる。なお、この検索画面はステップＳ１２において表示されるもので、ステップＳ１３においては単にユーザリストが表示されるものと考えられる。
【００５１】
次に、ユーザ関連情報取得モジュール１５は、リファレンスサーバ２００に対して、検索パラメータとともにユーザ関連情報の要求を送信する（ステップＳ１４）。リファレンスサーバ２００の抽出パラメータ取得モジュール２０５は、受信したリクエストの中から、検索パラメータを抽出パラメータとして取得する（ステップＳ１５）。
【００５２】
次に、リファレンスサーバ２００のユーザ関連情報抽出モジュール２０６は、記憶部に記憶されたユーザ関連情報データベース２５０内のユーザ関連情報テーブルから、取得した抽出パラメータに関する条件を満たすユーザ関連情報を抽出する（ステップＳ１７）。例えば、抽出パラメータが識別子である場合には、当該識別子と関連付けて記憶されたユーザ関連情報を抽出し、又は抽出パラメータが語句である場合には、ユーザ関連情報を当該語句で検索したり、当該語句と共起する単語や、類義語、あるいは関係の深い単語で検索したりする。
【００５３】
図７は、ユーザ関連情報データベース２５０内のユーザ関連情報テーブルの一例である。ユーザ関連情報テーブルには、識別子たる電話番号、名前、関連情報、表示条件が記憶されている。ここで、電話番号はテーブル内において主キーとして位置づけられるため、抽出パラメータである識別子一つには、データがある限りその識別子と一対一の結果が得られる。一方で、語句や位置情報といった抽出パラメータに対しては、一のパラメータに対して複数の結果が対応しうる。
【００５４】
図７において示される通り、関連情報には個人情報だけでなく、広告したい情報を含めることができる。一方で、プライバシーの観点から、相手が電話番号を交換した等、一定基準を満たした友人である場合のみ、個人情報を表示させることもできる。そのほか、自ら定義した特定の関数を用いて、空席情報やボタン等のユーザフォーム、メール履歴等の個人的な情報を挿入することも可能である。
【００５５】
次に、リファレンスサーバ２００のユーザ関連情報送信モジュール２０４は、抽出されたユーザ関連情報をユーザ端末１０に送信する（ステップＳ１７）。ここで、抽出パラメータにユーザ関連情報の検索条件に関する情報が含まれていない時には、検索条件も共に送信する。ユーザ端末１０のユーザ関連情報取得モジュール１５は、ユーザ関連情報を受信する（ステップＳ１８）。
【００５６】
ここで、もし受信したユーザ関連情報と関連付けられた識別子の中で、ユーザリストに未登録のものがあれば、識別子記憶モジュール１８が、ユーザリストに記憶させてもよい（ステップＳ１９）。一例としては、検索の結果得られた店舗の電話番号をアドレス帳に登録することがあたる。このステップは、ユーザの入力に応じて行っても良い。
【００５７】
次に、表示条件取得モジュール１６は、受信したデータから、ユーザ関連情報についての表示条件を取得する（ステップＳ２０）。この表示条件は、セキュリティの観点から設定することも可能であるが、元は情報の価値を上げるための、リコメンデーションとしての性格が強い。このことから、ユーザ端末が位置情報等の取得手段を備えていない場合や、一時的に利用不可であって、表示条件の判断基準の取得が不可能である場合の表示の是非は、コンテンツ毎に設定されている事が望ましい。
【００５８】
ユーザ端末１０の表示条件判断モジュール２０は、現在時刻や位置情報を元に、受信したユーザ関連情報について、表示条件を満たしているか否かを判断する（ステップＳ２１）。表示条件を満たしていない場合（ステップＳ２１：「ＮＯ」の場合）には、そのユーザ関連情報は表示されない。一方で表示条件を満たしている場合（ステップＳ２１：「ＹＥＳ」の場合）には、ユーザ関連情報表示モジュール１９が、表示部にユーザ関連情報を表示する（ステップＳ２２）。検索条件を満たす複数のユーザ関連情報を同時に受信した場合には、このステップＳ２１及びステップＳ２２は、複数のユーザ関連情報に対してそれぞれ行われてよい。
【００５９】
図６は、ユーザ端末１０の画面に表示されたユーザ関連情報の一例である。検索パラメータとなった識別子たる電話番号６１、６２と、その検索結果たるユーザ関連情報６３、６４が表示されている。ユーザ関連情報は、ユーザのメールアドレス６５のような固定情報のみならず、予め定義した関数を用いることで、空席情報６６のように非常にリアルタイム性の高い情報や、予約ボタン６７のような対話性のあるコンテンツに加え、メール履歴６８のように個人に属する情報を一度に表示させることが可能である。本実施例ではアドレス帳からの検索のため、登録済みであるが、仮に検索結果の電話番号が未登録であった場合には、「アドレス帳に登録」ボタンが表示されてよい。
【００６０】
以上が、ユーザ端末１０、リファレンスサーバ２００が実行するユーザ関連情報供覧処理の手順である。
【００６１】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６２】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６３】
１  ユーザ関連情報供覧システム、３  公衆回線網、１０  ユーザ端末、２００  リファレンスサーバ、２５０  ユーザ関連情報データベース
【図１】
2014186647.tif 000003
【図２】
2014186647.tif 000004
【図３】
2014186647.tif 000005
【図４】
2014186647.tif 000006
【図５】
2014186647.tif 000007
【図６】
2014186647.tif 000008
【図７】
2014186647.tif 000009